(57)【要約】【課題】筐体内雰囲気を外気と換気する処理装置であって、内部の放射能汚染の有無を簡単にチェックすることができる処理装置を提供すること。【解決手段】処理装置１は、入力に応じた処理を実行する処理手段１１と、筐体２１に吸気口２２と排気口２３とを備え、換気によって内部冷却を行う電圧発生器１において、排気口２３を覆うと共に、筐体２１に着脱可能に取り付けられ、排気口２３を通過する雰囲気中の異物を捕集する第１フィルタ５１を備える。【選択図】図１
2012107897.tif 000002
【特許請求の範囲】
【請求項１】
入力に応じた処理を実行する処理手段と、
前記処理手段を収容する筐体と、
前記筐体に形成された吸気口と、
前記筐体に形成された排気口と、
を備える処理装置であって、
前記排気口を覆うと共に、前記筐体に着脱可能に取り付けられ、前記排気口を通過する気体中の異物を捕集する第１瀘材を備える処理装置。
【請求項２】
前記吸気口を覆うと共に、前記筐体に着脱可能に取り付けられ、前記吸気口から前記筐体の内部に流入する外気中の異物を捕集する第２瀘材を更に備える請求項１に記載の処理装置。
【請求項３】
前記第１瀘材には前記筐体に着脱可能の支持枠にスミヤ瀘紙を収めた第１フィルタを採用し、前記第２瀘材には前記筐体に着脱可能の支持枠にＨＥＰＡフィルタを収めた第２フィルタを採用した請求項２に記載の処理装置。
【請求項４】
請求項１〜３のいずれかに記載の処理装置の筐体の内部における放射能汚染の有無を検知する内部汚染検知方法であって、
物体表面の放射能汚染を測定する放射能測定装置によって、前記筐体から取り外した前記第１瀘材における放射能汚染の有無を検査し、前記第１瀘材に放射能汚染が有る場合に、前記筐体の内部に放射能汚染が有りと判定する内部汚染検知方法。
【発明の詳細な説明】
【技術分野】
【０００１】
本発明は、ファンにより筐体内雰囲気を外気と換気して、内部冷却を行う処理装置に関する。
【背景技術】
【０００２】
原子力発電所の放射線管理区域内に持ち込まれた装置を、放射線非管理区域に持ち出す際は、持ち出す装置が放射能汚染されていないことを、確認する必要がある。
そこで、装置を放射線管理区域から持ち出す際には、放射能測定装置によって、装置における放射能汚染の有無をチェックする（例えば、特許文献１参照）。
【０００３】
しかし、放射線管理区域に持ち込まれる装置としては、ファンにより筐体内雰囲気を外気と換気して、内部冷却を行う処理装置が少なくない。例えば、このような処理装置として、電圧発生器、電圧計や電圧計、圧力測定器等を挙げることができる。
【先行技術文献】
【特許文献】
【０００４】
【特許文献１】特開平１０−２８８６６７号公報
【発明の概要】
【発明が解決しようとする課題】
【０００５】
ところで、ファンにより筐体の内部の空気を外気と換気して内部冷却を行う処理装置が放射線管理区域で使用された場合、装置内に流入する外気に放射能汚染物質が含まれていると、装置内に流入した外気中の放射能汚染物質が装置内部の回路基板等に付着し、装置の内部が汚染された状態になる。
【０００６】
しかし、通常、放射能汚染のチェックに使用される放射能測定装置は、物体表面の放射能汚染を測定するもので、筐体内部の汚染については、測定できない。
【０００７】
そこで、ファンにより筐体の内部の空気を外気と換気する処理装置を放射線管理区域から持ち出す場合には、処理装置の筐体を分解して、内部を開放状態にして、内部の放射能汚染をチェックする汚染検知方法も考えられる。しかし、筐体の分解・再組立は、非常に手間がかかるだけでなく、内部汚染が発生している場合には汚染を拡散してしまうおそれもあり、実際上は、実施できない。また、筐体を分解してしまった場合には、処理装置の精度が保証されなくなってしまうというおそれもある。
【０００８】
そのため、ファンにより筐体の内部の空気を外気と換気する処理装置は、一旦、放射線管理区域で使用すると、内部の放射能汚染の有無がチェックできないため、定期的なメーカ点検等の事情があっても、放射線管理区域から持ち出すことができず、最悪の場合には、高額な装置を使い捨てにしなければならないという問題が生じていた。
【０００９】
従って、本発明は、ファンにより筐体の内部の空気を外気と換気する処理装置において、内部の放射能汚染の有無を簡単にチェックすることができる処理装置、及び内部汚染検知方法を提供することを目的とする。
【課題を解決するための手段】
【００１０】
（１）本発明は、入力に応じた処理を実行する処理手段と、前記処理手段を収容する筐体と、
前記筐体に形成された吸気口と、前記筐体に形成された排気口と、を備える処理装置であって、前記排気口を覆うと共に、前記筐体に着脱可能に取り付けられ、前記排気口を通過する気体中の異物を捕集する第１瀘材を備える処理装置に関する。
【００１１】
（２）また、上記（１）に記載の処理装置の場合、前記吸気口を覆うと共に、前記筐体に着脱可能に取り付けられ、前記吸気口から前記筐体の内部に流入する外気中の異物を捕集する第２瀘材を更に備えることが好ましい。
【００１２】
（３）また、上記（２）に記載の処理装置の場合、前記第１瀘材には前記筐体に着脱可能の支持枠にスミヤ瀘紙を収めた第１フィルタを採用し、前記第２瀘材には前記筐体に着脱可能の支持枠にＨＥＰＡフィルタを収めた第２フィルタを採用することが好ましい。
【００１３】
（４）また、本発明は、上記（１）〜（３）のいずれかに記載の処理装置の筐体の内部における放射能汚染の有無を検知する内部汚染検知方法であって、
物体表面の放射能汚染を測定する放射能測定装置によって、前記筐体から取り外した前記第１濾材における放射能汚染の有無を検査し、前記第１濾材に放射能汚染が有る場合に、前記筐体の内部に放射能汚染が有りと判定する内部汚染検知方法に関する。
【発明の効果】
【００１４】
本発明によれば、ファンにより筐体の内部の空気を外気と換気する処理装置において、内部の放射能汚染の有無を簡単にチェックすることができる処理装置、及び内部汚染検知方法を提供することができる。
【図面の簡単な説明】
【００１５】
【図１】本発明の処理装置の一実施形態としての電圧発生器の概略構成図である。
【図２】図１に示した処理装置に装備された第１フィルタの概略構成を示す斜視図である。
【図３】図１に示した処理装置の内部の放射能汚染をチェックする内部汚染検知方法の説明図である。
【発明を実施するための形態】
【００１６】
以下、図面を参照して、本発明の一実施形態の処理装置及び内部汚染検知方法について説明する。
まず、図１及び図２により、本発明に係る処理装置の一実施形態である電圧発生器の構成を説明する。
【００１７】
図１に示した電圧発生器１は、他の計測機器等の外部装置の動作に必要な電圧を発生する装置で、前記外部装置の電源として利用される。
【００１８】
この電圧発生器１は、電圧を発生させる処理手段である電圧発生処理回路１１と、該電圧発生処理回路１１を収容する筐体２１と、筐体２１の一側面である前面部２１ａに配置される操作部３１と、筐体２１の内部雰囲気を換気するためのファン４１とを備えている。本実施形態の電圧発生器１は、ファン４１による換気によって内部冷却を行う装置である。
【００１９】
電圧発生処理回路１１は、例えば、筐体２１内に固定されたブラケット１２と、このブラケット１２に固定された回路基板１３と、該回路基板１３上に搭載される各種の回路部品１４等から構成される。この電圧発生処理回路１１は、操作部３１からの入力設定、あるいは筐体２１に装備された不図示の入力端子に外部から入力する信号、のいずれかの入力に応じた処理を実行して、前記外部装置に供給する所望の電圧を発生させる。電圧発生処理回路１１の発生する電圧は、筐体２１に装備された不図示の出力端子に出力され、対応する計測機器等に供給される。
【００２０】
筐体２１は、電圧発生処理回路１１を収容する収容空間２０を画成する箱型の構造物で、内部雰囲気を換気するために、吸気口２２と、排気口２３と、が貫通形成されている。
吸気口２２及び排気口２３は、小径の通気孔を適宜数配列した構成、あるいは、１つの大きな開口を形成した構成のいずれでもよい。
【００２１】
操作部３１は、電圧発生処理回路１１の動作条件等を設定する複数のスイッチ３１ａを有しており、電圧発生処理回路１１により発生させる電圧値を設定することができる。
【００２２】
ファン４１は、筐体２１内で、排気口２３に面して取り付けられている。このファン４１は、吸気口２２から筐体２１内に外気を取り込むと共に、筐体内雰囲気を排気口２３より筐体２１の外部に排出して、筐体２１内を換気する。
図１に示した矢印Ｆは、ファン４１によって筐体２１内を通過する外気の流れを示している。
【００２３】
本実施形態の電圧発生器１は、第１瀘材としての第１フィルタ５１と、第２瀘材としての第２フィルタ６１と、を備えている。
【００２４】
第１フィルタ５１は、筐体２１の外側から排気口２３を覆っている。また、この第１フィルタ５１は、図２に示すように、筐体２１に着脱可能な支持枠５２にスミヤ瀘紙５３を収めた構造で、支持枠５２を介して筐体２１に着脱可能に取り付けられる。
【００２５】
支持枠５２を筐体２１に着脱可能に取り付ける具体的な構造は、例えば、支持枠５２が当接する筐体２１の排気口２３の周縁部と、該周縁部に当接する支持枠５２の当接面とに、互いに係合する係合機構を装備してもよく、また、支持枠５２をマグネットの磁力で筐体２１に吸着させる構成にしてもよい。
【００２６】
スミヤ瀘紙５３は、ＪＩＳ−Ｚ−４５０４−１９９３（放射性表面汚染の測定方法）の規定に準拠した仕様のもので、放射線汚染物質が付着し易く、その保持性が高く、且つ、フィルタとしての通気性能を有したものが選択される。
【００２７】
第１フィルタ５１は、ファン４１による送風力で、排気口２３を通過する雰囲気中の異物を捕集する。
【００２８】
第２フィルタ６１は、筐体２１の外側から吸気口２２を覆っている。また、この第２フィルタ６１は、筐体２１に着脱可能な支持枠（不図示）にＨＥＰＡフィルタを収めた構造で、支持枠を介して筐体２１に着脱可能に取り付けられる。
【００２９】
ＨＥＰＡフィルタを収容する支持枠は、図２に示した支持枠５２と同様なもので、吸気口２２を覆う板状にＨＥＰＡフィルタを支持する。
この第２フィルタ６１は、吸気口２２から前記筐体２１内に流入する外気中の異物を捕集する。
【００３０】
次に、電圧発生器１の筐体２１内における放射能汚染の有無を検知する内部汚染検知方法を、図３に基づいて説明する。
図３において、符号７１は物体表面の放射能汚染を測定する放射能測定装置７１、符号７２は放射能測定装置７１に接続された放射能検出器７２である。放射能測定装置７１は、放射能検出器７２の先端面７２ａを、測定する物体の表面に規定の距離まで近付けることで、物体の表面における放射能汚染の程度を測定することができる。
【００３１】
本実施形態の内部汚染検知方法では、図３に示すように、筐体２１から取り外した第１フィルタ５１の表面に放射能検出器７２の先端面７２ａを近付けて、第１フィルタ５１における放射能汚染の有無を検査する。そして、第１フィルタ５１に放射能汚染が有ると判明した場合に、筐体２１内に放射能汚染が有りと判定する。
【００３２】
以上説明した本実施形態の電圧発生器１は、入力に応じた処理を実行する電圧発生処理回路１１と、電圧発生処理回路１１を収容する筐体２１と、筐体２１に形成された吸気口２２と、筐体２１に形成された排気口２３と、筐体内雰囲気を前記排気口２３より筐体２１の外部に排出して筐体２１内を換気するファン４１と、を備え、ファン４１による換気によって内部冷却を行う電圧発生器であって、排気口２３を覆うと共に、筐体２１に着脱可能に取り付けられ、排気口２３を通過する雰囲気中の異物を捕集する第１フィルタ５１を備える。
【００３３】
そのため、電圧発生器１は、例えば、放射線管理区域から放射線非管理区域に持ち出したい場合には、図３に示すように、筐体２１から取り外した第１フィルタ５１における放射能汚染の有無を放射能測定装置７１によって検査する内部汚染検知方法を実施することで、筐体２１を分解して内部を露出させずとも、簡単に、内部の汚染の有無を検知することができる。
従って、内部の放射能汚染の有無を簡単にチェックすることができる電圧発生器１を提供することができる。
その結果、持ち出す電圧発生器１が放射能汚染されていないことを確認して、放射線非管理区域に持ち出すことが可能になり、内部の放射能汚染をチェックできないために高額な装置を使い捨てにしなければならないといった不都合を解消することができる。
【００３４】
また、本実施形態の電圧発生器１は、吸気口２２を覆うと共に、筐体２１に着脱可能に取り付けられ、吸気口２２から筐体２１内に流入する外気中の異物を捕集する第２フィルタ６１を備える。
そのため、例えば、吸気口２２から筐体２１内に流入する外気中の異物として、放射能汚染物質が存在した場合、その放射能汚染物質を第２フィルタ６１が捕集することで、放射能汚染物質が筐体２１内に侵入すること自体を防止し、筐体２１内の汚染の防止、又は汚染の低減を図ることができる。
【００３５】
また、第２フィルタ６１を備えている場合、第２フィルタ６１に対しても、図３に示したように、筐体２１から取り外して放射能測定装置７１によって、放射能汚染の有無をチェックすることで、筐体２１内における放射能汚染の有無の検知精度を向上させることができる。
【００３６】
また、本実施形態の電圧発生器１の場合、第１フィルタ５１は、図２に示しように筐体２１に着脱可能の支持枠５２にスミヤ瀘紙５３を収めた構成であり、更に、第２フィルタ６１は、筐体２１に着脱可能の支持枠にＨＥＰＡフィルタを収めた構成である。
これらの第１フィルタ５１や、第２フィルタ６１は、放射能汚染された微粒子の捕集性や保持性が優れている。
そのため、筐体２１から取り外した第１フィルタ５１や第２フィルタ６１に対して放射能測定装置７１によって放射能汚染の有無をチェックするという本実施形態の内部汚染検知方法の信頼性を向上させることができる。
【００３７】
尚、本発明に係る処理装置における第１フィルタ５１や第２フィルタ６１に採用する具体的な瀘材は、上記実施形態に示したものに限らない。例えば、第１フィルタ５１及び第２フィルタ６１の双方の瀘材にＨＥＰＡフィルタを採用したり、あるいは、ＨＥＰＡフィルタよりも粒子捕集率に優れたＵＬＰＡフィルタを採用したりすることも、考えられる。
【００３８】
更に、本発明に係る処理装置は、上記実施形態に示した電圧発生器に限らない。即ち、本発明を、電流計、電圧計、圧力測定器（マノメータ）、電流発生器等に適用してもよい。
また、本実施形態では、本発明を、ファンにより筐体内雰囲気を外気と換気して内部冷却を行う処理装置に適用したが、これに限らない。即ち、本発明を、ファンを用いずに筐体の内部を冷却する自然循環式の処理装置に適用してもよい。
【符号の説明】
【００３９】
１  電圧発生器（処理装置）
１１  電圧発生処理回路（処理手段）
２１  筐体
２２  吸気口
２３  排気口
４１  ファン
５１  第１フィルタ（第１瀘材）
６１  第２フィルタ（第２瀘材）
７１  放射能測定装置
７２  放射能検出器
【図１】
2012107897.tif 000003
【図２】
2012107897.tif 000004
【図３】
2012107897.tif 000005